(57)【要約】      （修正有）【課題】景品として提供されるようなＩＣタグを具備したカード類を複数枚密接積層した状態で、一気にその全てのカード類におけるＩＣタグからの電波をキャッチし、その密接積層されたカード類の枚数を確認し、そのすべての真贋をチェックするとともに、不具合が生じているか否かの検品までを自動的に実行する装置を提供する。【解決手段】ケーシングの外表面に支承プレートを架設し、その支承プレートの表面にＩＣタグを具備したカード類を密接収容したケースを嵌装するケースガイドを固設し、そのケースガイドは前記したカード類を一枚置きに突出させる突片を所定ピッチで並設したものとし、前記した支承プレートの外周にはＩＣリーダーのリング状アンテナを設け、そのＩＣリーダーもしくは支承プレートのいずれか一方を走行させ、前記したＩＣタグをチェックする構成とした。【選択図】図１
2008282194.tif 000002
【特許請求の範囲】
【請求項１】
ケーシングの外表面に支承プレートを架設し、その支承プレートの表面に、ＩＣタグを具備したカード類を密接収容したケースを嵌装するケースガイドを固設し、そのケースガイドは前記したカード類を一枚置きに突出させる突片を所定ピッチで並設したものとし、前記した支承プレートの外周にはＩＣリーダーのリング状アンテナを設け、そのＩＣリーダーもしくは支承プレートのいずれか一方を走行させ、前記したＩＣタグをチェックする構成としたことを特徴とするＩＣタグを具備した複数枚のカード類のチェック装置。
【請求項２】
前記したＩＣリーダーのリング状アンテナはアーム部に取り付けられ、そのアーム部はガイドレールに沿って走行する支持板に固設されていることを特徴とする請求項１に記載のＩＣタグを具備した複数枚のカード類のチェック装置。
【請求項３】
前記した支持板はクランク状に形成され、ケーシングの内方に延設された部分にはＩＣリーダーの本体を搭載し、また、前記したアーム部を固設した支持板の下方に一体的に形成されたブラケットをコンベアチェーンの一端と固定してあることを特徴とする請求項１または請求項２に記載のＩＣタグを具備した複数枚のカード類のチェック装置。
【請求項４】
前記した支持板は前記したコンベアチェーンの進行に伴なってガイドレールに沿って走行することを特徴とする請求項１、請求項２または請求項３に記載のＩＣタグを具備した複数枚のカード類のチェック装置。
【発明の詳細な説明】
【技術分野】
【０００１】
本発明はＩＣタグを具備した複数枚のカード類のチェック装置に関し、主としてパチンコやスロットマシンあるいはパチスロ等の遊技場における景品としてのカード類をまとめて一挙にチェックし、枚数が揃っているか否か、あるいは不具合がないか否かの検品も実行するためのチェック装置に関する。
【背景技術】
【０００２】
従来、上記した景品としてのカード類をはじめ、種々のＩＣタグを具備したカード類をチェックする作業はグリップに取り付けたアンテナをかざして行なう手作業であって、複数枚、それも１００枚程度を単位とした際には一気にそのチェック作業を行なうことはできなかった。
【０００３】
また、前記したカード類を密接積層した状態でリング状としたアンテナ内を通しても、ＩＣタグ間にアンテナが電波をキャッチするのに必要なスペースがないため、正確な反応を得ることは不可能となっている。
【特許文献１】出願人は本願発明に関して先行する技術文献の調査を行なったが、格別に本願発明と関連し、類似すると思われる文献を発見することはできなかった。
【発明の開示】
【発明が解決しようとする課題】
【０００４】
本発明が解決しようとする問題点は、従来景品として提供されるようなＩＣタグを具備したカード類を複数枚密接積層した状態で一気にその全てのカード類におけるＩＣタグからの電波をキャッチし、その密接積層されたカード類の枚数を確認し、そのすべての真贋をチェックするとともに、不具合が生じているか否かの検品までを自動的に実行する装置が存在していなかったという点である。
【課題を解決するための手段】
【０００５】
この問題点を解決するために、本発明に係るＩＣタグを具備した複数枚のカード類のチェック装置はケーシングの外表面に支承プレートを架設し、その支承プレートの表面に、ＩＣタグを具備したカード類を密接収容したケースを嵌装するケースガイドを固設し、そのケースガイドは前記したカード類を一枚置きに突出させる突片を所定ピッチで並設したものとし、前記した支承プレートの外周にはＩＣリーダーのリング状アンテナを設け、そのＩＣリーダーもしくは支承プレートのいずれか一方を走行させ、前記したＩＣタグをチェックする構成としたことを特徴としている。
【０００６】
また、本発明に係るＩＣタグを具備した複数枚のカード類のチェック装置は前記したＩＣリーダーのリング状アンテナはアーム部に取り付けられ、そのアーム部はガイドレールに沿って走行する支持板に固設されていることを特徴とし、前記した支持板はクランク状に形成され、ケーシングの内方に延設された部分にはＩＣリーダーの本体を搭載し、また、前記したアーム部を固設した支持板の下方に一体的に形成されたブラケットをコンベアチェーンの一端と固定してあることを特徴とし、前記した支持板は前記したコンベアチェーンの進行に伴なってガイドレールに沿って走行することを特徴としている。
【発明の効果】
【０００７】
本発明に係るＩＣタグを具備した複数枚のカード類のチェック装置は、上記のように構成されている。そのため、複数枚のＩＣタグを具備したカード類を密接して収容したケースを支承プレート上に設けられたケースガイド上に嵌着させることで、前記したカード類が一枚置きに突片によって突設され、密接状態から凹凸状態とすることができ、この状態でリング状をしたアンテナで走査することによって、カード類間にはＩＣタグからの電波をアンテナで受けるのに必要な空域が形成されるため、正確なチェック機能を奏することができることとなる。
【発明を実施するための最良の形態】
【０００８】
図面として示し、実施例で説明したように構成することで実現した。
【実施例１】
【０００９】
次に、本発明の好ましい実施の一例を図面を参照して説明する。図１は本発明を実施したＩＣタグを具備した複数枚のカード類のチェック装置を示す平面図、図２は同じく側面図、図３は同じく背面図、図４は同じくケースガイドを示す図、図５は同じくカードケースを示す図、図６は同じく走行機構を示す部分斜視図、図７は同じく別方向から見た部分斜視図、図８は同じく別方向から見た部分斜視図である。
【００１０】
これらの図にあって１は略直方体状をしたケーシングを示している。このケーシング１は内部を閉塞する蓋体２を有しており、この蓋体２とケーシング１の端部との間には、後述する支持板が走行するための溝部３が形成されている。
【００１１】
前記したケーシング１の上面には一対のアクリル製の立壁４、４の上端が突出され、相対向して設けられている。この各立壁４、４の頂面には凹部が形成されており、その各凹部に端部を嵌め合せた状態でアクリル製の支承プレート５が架設され、その支承プレート５は各立壁４、４の頂面凹部にビス５ａ、５ａ‥によって固着されたものとなっている。
【００１２】
また、前記した支承プレート５の上表面には両面接着シート６等の固定手段を介してケースガイド７が着脱自在に取り付けられている。このケースガイド７は後述するＩＣタグを具備したカード類を密接積層して収容するカードケースの底面に形成された溝状の透孔と同一の幅となっているもので、その上面にはカード類の厚さと対応するピッチで突片８、８‥が突設された構成となっている。
【００１３】
前記したケースガイド７には上方からＩＣタグを具備したカード類９、９‥を密接積層状態で収納したカードケース１０が嵌装される。このカードケース１０は上面を開口した略直方体に形成されており、本実施例では内部に四つの仕切り板１０ａ、１０ａ‥を設けてあり、その各仕切り板１０ａ、１０ａ‥で区切られた室に各々２０枚のカード類９、９‥を収容し、合計１００枚のカード類９、９‥を密接積層した状態で収納できるものとしてある。即ち、このカードケース１０にカード類９、９‥を収納した状態で搬送、収納することで枚数を一々カウントすることなく１００枚単位でのカウントが交換所等において可能となるものとしてある。
【００１４】
また、このカードケース１０の底面には前記したケースガイド７の突片８、８‥と同一の幅とした溝状の透孔１１が形成されているもので、カード類９、９‥を収納した状態でカードケース１０をケースガイド７の上方から嵌装すると、ケースガイド７の突片８、８‥によってカード類９、９‥は一枚置きに上方へ突出される形態でセットされることとなる。この位置のずらしによって、カード類９、９‥に具備されているＩＣタグの位置が交互に上下にずれ、電波を供出するに十分な空域を得ることができることとなる。
【００１５】
一方、図中１２はリング状としたアンテナ部を示しており、このアンテナ部１２はカード類９、９‥に具備されているＩＣタグからの電波をキャッチするもので、このリング状としたアンテナ部１２のリング内に支承プレート５及びその支承プレート５に固着されたケースガイド、そしてカード類９、９‥を収納してカードケース１０が挿通される状態でセットされている。
【００１６】
また、前記したリング状のアンテナ部１２はグリップ１３の先端部分に固設された状態となっており、このグリップ１３はホルダー１４に着脱自在に取り付けられている。グリップ１３の後端からは前記アンテナ部１２と電気的に接続されたコード１５が延設され、このコード１５は後述するＩＣタグのリーダーライター本体と接続されている。
【００１７】
前記したホルダー１４にはネジで構成された、締め付けての取り付け手段が設けられ、グリップ１３を強固に固定位置決めすることができるものとしている。そして、このホルダー１４は支持板１６上にネジ等の固着手段によって固着された構成となっている。
【００１８】
前記した支持板１６はクランク状に屈曲形成されたものとなっており、その立壁部分１６ａが前記した溝部３と対応するものとなっている。さらに、クランク状とされた支持板１６のケーシング内方部分１６ｂ上にはＩＣタグのリーダーライター本体１７が載置され、本実施例にあっては締結バンド１７ａ、１７ａによって着脱自在に取り付けられた構成となっている。
【００１９】
さらに、前記した支持板１６のリーダーライター本体１７を載置する内方部分１６ｂは走行用のガイドレール１８上に乗せられた構成となっている。そして、支持板１６の立壁部分１６ａに一体的に突設された断面Ｌ字状をしたブラケット１６ｄにコンベアチェーン１９の曲成された上側となる遊端部が固定されている。このコンベアチェーン１９の下側となる基端はケーシング１内で固定されたものとなっている。
【００２０】
また、本実施例にあっては、ＩＣタグのリーダーライター本体１７はケーシング１外にセットされる図示しないコントローラと電気的に接続されているもので、このコントローラには本実施例に係るチェッカー装置の作用によってカウントされたカード類９、９‥の合計枚数の表示部が設けられている。このコントローラには勿論パワースイッチのほか、スタートスイッチや緊急時のストップスイッチ等が設けられたものとなっている。
【００２１】
本実施例に係るＩＣタグを具備した複数枚のカード類のチェック装置は上記のように構成されている。ここでその動作、作用を説明すると、図示しないモータ等の駆動源に入力が行なわれると、コンベアチェーン１９が起動し、上側となる遊端部を初期状態から対向方向へ移行させる。この際、コンベアチェーン１９の曲率は同一となっているため、この遊端部は上下方向には移行することはない。
【００２２】
このコンベアチェーン１９の移行に同期して、接続されたブラケット１６ｄ及び支持板１６と、その支持板１６に取り付けられたホルダー１４及びアンテナ部１２を備えたホルダー１３が共に走行することとなる。この走行によってリング状をしたアンテナ部１２は支承プレート５上に、ケースガイド７の作用で交互に凹凸状とされた複数枚のカード類９、９‥、特にそのカード類９、９‥に具備されているＩＣタグの存在を走査することとなる。そして、その走査結果はコントローラにカウントされた枚数として表示されることとなる。
【産業上の利用可能性】
【００２３】
本実施例に係るＩＣタグを具備した複数枚のカード類のチェック装置は上記のように構成されている。この実施例ではアンテナ部１２を走行させる手段としてコンベアチェーン１９を用いているが、これにこだわらずベルトやその他ローラやギアを組み合わせた機構を代替することも可能であり、本実施例とは逆にアンテナ部１２を固定し、カード類９、９‥をセットして支承プレート５側を走行させる構成とすることもでき同様な走査が可能となる。
【００２４】
また、本実施例にあってはケーシング１を机上や床上に据え置くタイプのものとし、アンテナ部１２の走行を横方向としてあるが、これも、縦型として上下方向への走行としたり、直線方向に限らず、コーナーを曲がったり、円弧方向へ走行させる構成とすること等も可能となる。
【００２５】
さらに、本実施例は対象となるカード類を景品用のものを想定しているが、これも金融機関用のカード類や交通機関用のカード類等にも応用できることは勿論可能である。
【図面の簡単な説明】
【００２６】
【図１】本発明を実施したＩＣタグを具備した複数枚のカード類のチェック装置を示す平面図である。
【図２】側面図である。
【図３】背面図である。
【図４】ケースガイドを示す図である。
【図５】カードケースを示す図である。
【図６】走行機構を示す部分斜視図である。
【図７】別方向から見た部分斜視図である。
【図８】別方向から見た部分斜視図である。
【符号の説明】
【００２７】
１    ケーシング
２    蓋体
３    溝
４    立壁
５    支承プレート
５ａ  ビス
６    両面接着シート
７    ケースガイド
８    突片
９    カード類
１０  カードケース
１０ａ  仕切り板
１１  溝状の透孔
１２  アンテナ部
１３  グリップ
１４  ホルダー
１５  コード
１６  支持板
１６ａ  立壁部分
１６ｂ  内方部分
１６ｄ  ブラケット
１７  リーダーライター本体
１７ａ  締結バンド
１８  ガイドレール
１９  コンベアチェーン
【図１】
2008282194.tif 000003
【図２】
2008282194.tif 000004
【図３】
2008282194.tif 000005
【図４】
2008282194.tif 000006
【図５】
2008282194.tif 000007
【図６】
2008282194.tif 000008
【図７】
2008282194.tif 000009
【図８】
2008282194.tif 000010